(57)【要約】      （修正有）【課題】質量が小さく、組立てが容易で、かつ感度が高い電子たばこ通気膜スイッチを提供する。【解決手段】両側の圧力差によって形状変化を生じることができるソフトゴム状膜を有するスイッチ膜１と、スイッチ膜１の一方の側に固定接続されて第１室を形成し、かつその中央部に１つの軸方向の開通穴を有するスイッチホルダ２と、スイッチ膜１の反対側に固定接続されて第２室を形成する接続リング３と、スイッチホルダ２の軸方向開通穴を貫いてスイッチ膜１に固定接続される固定柱４と、電気的に分離した状態でスイッチホルダ２に固定接続される第１電極５および第２電極６と、固定柱４に固定接続される導電片７とを含み、導電片７は細長い形状であり第１電極５に対応する第１接触端および第２電極６に対応する第２接触端を有し、導電片７の中央部には固定柱６と組み合わせるための穴を有する。【選択図】図１
0003145256.tif 000002
【実用新案登録請求の範囲】
【請求項１】
両側の圧力差によって形状変化を生じることができるソフトゴム状膜を有するスイッチ膜と、
スイッチ膜の一方の側に固定接続されて第１室を形成し、かつその中央部に１つの軸方向の開通穴を有するスイッチホルダと、
スイッチ膜の反対側に固定接続されて第２室を形成する接続リングと、
前記スイッチホルダの軸方向開通穴を貫いて前記スイッチ膜に固定接続される固定柱と、
電気的に分離した状態で前記スイッチホルダに固定接続される第１電極および第２電極と、
前記固定柱に固定接続される導電片と
を含む電子たばこ通気膜スイッチにおいて、
前記導電片は細長い形状であり第１電極に対応する第１接触端および第２電極に対応する第２接触端を有し、前記導電片の中央部には固定柱と組み合わせるための穴を有することを特徴とする電子たばこ通気膜スイッチ。
【請求項２】
前記導電片の第１接触端および第２接触端は尖った針状であることを特徴とする請求項１に記載の電子たばこ通気膜スイッチ。
【考案の詳細な説明】
【技術分野】
【０００１】
本実用新案は機械式スイッチに属し、特に電子たばこ内に使用する通気膜スイッチに関する。
【背景技術】
【０００２】
電子たばこにおいては、しばしば通気膜スイッチを霧化回路の起動デバイスとして利用する。使用者が電子たばこの吸い口の所で吸気動作を行う時、通気膜スイッチは力を受けて変形し回路を導通させる。
【０００３】
従来技術においては、膜の両側に圧力差がある状況下で形状変化を発生するスイッチ膜と、スイッチ膜の一方の側に第１室を形成するためスイッチ膜外側に嵌合接続されるスイッチホルダと、を含み、さらには、スイッチ膜の反対側に第２室を形成するためスイッチ膜の反対側に位置しスイッチホルダに固定接続される接続リングを含み、
前記スイッチホルダにはさらに電気的に分離された第１電極片と第２電極片が固定接続されており、スイッチ膜には前記第１室の一方の側に円柱形の固定柱が固定接続されており、スイッチホルダ内には固定柱を軸方向に運動させることができる穴を有し、固定柱の反対端に１つの円柱形導電棒を固定接続し、前記固定柱および導電棒は、第１室と第２室の間に圧力差を生じた時に、スイッチ膜に従って、第１電極片と第２電極片を導通させる第１位置と、第１電極片と第２電極片を離しておく第２位置、まで動くことができる機械式通気膜スイッチが公開されている。
【０００４】
この種の通気膜スイッチの問題点は、円柱形導電棒の質量が大きすぎるためスイッチ感度の低下を招くほか、組立ての際、円柱形導電棒と固定柱の正確な係合を保証することが非常に困難なことである。
【考案の開示】
【考案が解決しようとする課題】
【０００５】
本実用新案の１つの目的は、従来技術の問題点を解決し、質量が小さく、組立てが容易で、かつ感度が高い電子たばこ通気膜スイッチを提供することにある。
【課題を解決するための手段】
【０００６】
前記目的を実現するため、本実用新案が提供する電子たばこ通気膜スイッチは、両側の圧力差によって形状変化を生じることができるソフトゴム状膜を有するスイッチ膜と、スイッチ膜の一方の側に固定接続されて第１室を形成し、かつその中央部に１つの軸方向の開通穴を有するスイッチホルダと、スイッチ膜の反対側に固定接続されて第２室を形成する接続リングと、前記スイッチホルダの軸方向開通穴を貫いて前記スイッチ膜に固定接続される固定柱と、電気的に分離した状態で前記スイッチホルダに固定接続される第１電極および第２電極と、前記固定柱に固定接続される導電片と、を含み、
本実用新案によれば、前記導電片は細長い形状であり、第１電極に対応する第１接触端および第２電極に対応する第２接触端を有し、前記導電片の中央部には固定柱と係合するための穴を有している。さらには、前記導電片の第１接触端および第２接触端を尖った針状とする。
【考案の効果】
【０００７】
本実用新案の有益な効果とは、前記導電片の中央に円形穴が設けてあり、固定柱との間の正確な位置決めおよび組み立てを行うことが容易であり、また、両端が尖った針状に設計されていて導通と切断の感度を相当程度向上させることができる点である。
【考案を実施するための最良の形態】
【０００８】
本実用新案は電子たばこに用いる通気膜スイッチに関し、該通気膜スイッチは組立てが容易であって、かつ感度が高い。次に図面に従って、本実用新案について詳細に説明する。
【０００９】
図１は、本実用新案の１つの具体的実施態様に基づく通気膜スイッチの構造分解図である。図２は、組み合わせた後の通気膜スイッチの構造正面図である。図ｌによれば、電子たばこ通気膜スイッチは、スイッチ膜１、スイッチホルダ２、接続リング３、固定柱４、第１電極５、第２電極６および導電片７を含む。
【００１０】
その内、スイッチ膜１は、両側の圧力差によって形状変化を生じることができるソフトゴム状膜を有する。スイッチホルダ２は、スイッチ膜１の一方の側に固定接続され、第１室２１を形成する。スイッチホルダ２の中央部には、１つの軸方向開通穴２２を有する。スイッチホルダ２は、スイッチ膜と嵌合接続することができる。接続リング３は、スイッチ膜の反対側に接続され、例えば接着剤を用いて第２室３１を形成する。固定柱４は、前記スイッチホルダ２の軸方向開通穴２２を貫き、例えば接着剤等を用いて、前記スイッチ膜１のソフトゴム状膜１１の中央部に接続される。よって、固定柱４は、ソフトゴム状膜１１の受動的運動に従って開通穴２２に沿って運動することになる。第１電極５は、固定部５１および固定部から外に向かって延在する接触部５２より構成される。第２電極６は、固定部６１および固定部から外に向かって延在する接触部６２より構成される。第１電極の固定部５１を用い、例えば接着剤等の手段により、第１電極をスイッチホルダに固定接続する。第２電極の固定部６１を用い、例えば接着剤等の手段により、第２電極をスイッチホルダに固定する。固定後、第１電極と第２電極は、スイッチホルダ上において、電気的に分離した状態に保持される。第１電極の接触部５２および第２電極の接触部６２は、電子たばこの制御回路とそれぞれ接続するために用いられる。
【００１１】
導電片７は細長い形状であり、第１電極に対応する第１接触端７１および第２電極に対応する第２接触端７２を有し、前記導電片の中央部には固定柱６と係合するための穴７３を有している。該穴を通じ、導電片７を固定柱６に容易に組み付けることができ、導電片７と固定柱６は、接着剤によって粘着接合することができる。
【００１２】
前記第１室と第２室の間に圧力差がない時、すなわち、電子たばこの吸い口の所に吸気動作がない時、スイッチ膜１のソフトゴム状膜１１は運動せず、導電片は固定柱の支承のもと、第１電極と第２電極の固定部から離れている。第２室内に負圧が生じた時、すなわち、電子たばこの吸い口の所に吸気動作がある時、ソフトゴム状膜１１は固定柱を開通穴２２に沿って動かしめ、これによって導電片７が第１電極および第２電極の固定部に向けて動き、かつ、最終的にその第１接触端と第２接触端が第１電極と第２電極の固定部にそれぞれ接触し、第１電極と第２電極が導通する。
【００１３】
図２Ｃおよび図３に示すように、導電片７の第１接触端７１および第２接触端７２は、尖った針状とすることができる。このようにすれば、これら接触端と第１電極、第２電極の固定部との接触および分離の感度が向上する。
【図面の簡単な説明】
【００１４】
【図１】本実用新案に記載の電子たばこ通気膜スイッチの構造模式図である。
【図２Ａ】本実用新案に記載の電子たばこ通気膜スイッチの正面図である。
【図２Ｂ】図２Ａの断面図である。
【図２Ｃ】図２Ａの平面図である。
【図３】本実用新案に記載の導電片の形状模式図である。
【符号の説明】
【００１５】
１        スイッチ膜
２        スイッチホルダ
３        接続リング
４        固定柱
５        第１電極
６        第２電極
７        導電片
１１      ソフトゴム状膜
２１      第１室
３１      第２室
７１      第１接触端
７２      第２接触端
７３      穴
【図１】
0003145256.tif 000003
【図２Ａ】
0003145256.tif 000004
【図２Ｂ】
0003145256.tif 000005
【図２Ｃ】
0003145256.tif 000006
【図３】
0003145256.tif 000007